(57)【要約】【課題】本発明は、クランプの材料や構造の制約が少ない測定子を提供することを目的とする。【解決手段】電線２０を流れる電流の高調波を測定するための測定子１０であって、第１端部１ａと、第１端部１ａと対向する側に位置する第２端部１ｂとを有するケース１と、ケース１内に収容され第１端部１ａと第２端部１ｂとが対向する方向に軸を有するコイル２と、第１端部１ａを電線２０へ接触させた状態を維持する第１状態と、第１端部１ａを電線２０と接触または離間させることができる第２状態とを有するクランプ３とを備える。【選択図】図２
2017015470.tif 000002
【特許請求の範囲】
【請求項１】
被測定部材を流れる電流の高調波を測定するための測定子であって、
第１端部と、前記第１端部と対向する側に位置する第２端部とを有するケースと、
前記ケース内に収容され前記第１端部と前記第２端部とが対向する方向に軸を有するコイルと、
前記第１端部を前記被測定部材へ接触させた状態を維持する第１状態と、前記第１端部を前記被測定部材と接触または離間させることができる第２状態とを有するクランプと、
を備えた測定子。
【請求項２】
前記クランプは第１バンドおよび第２バンドを有し、
前記第１状態は前記第１バンドと前記第２バンドが接着し、
前記第２状態は前記第１バンドと前記第２バンドが互いに離間している、
請求項１記載の測定子。
【請求項３】
前記第１バンドは第１面ファスナーを有し、
前記第２バンドは第２面ファスナーを有し、
前記第１状態において前記第１面ファスナーおよび前記第２面ファスナーは互いに接着している、
請求項２記載の測定子。
【請求項４】
前記第１バンドおよび前記第２バンドは共に伸び縮みする、
請求項２または３記載の測定子。
【発明の詳細な説明】
【技術分野】
【０００１】
本発明は、電流の高調波を測定する測定子に関する。
【背景技術】
【０００２】
電線を流れる電流を測定する方法としてコイルを用いる測定機は知られている。この測定機は、クランプとしての環状の鉄心と、この鉄心に巻回されたコイルを有する。環状のクランプの中央部に電線を配置させることにより、鉄心であるクランプは電線を流れる電流により発生する磁界を集める。コイルにはクランプに伝わる磁界により誘導電流が流れる。この測定機は、電線を流れる電流の変化に応じてコイルを流れる電流を測定する（特許文献１参照。）。
【先行技術文献】
【特許文献】
【０００３】
【特許文献１】特開平６−２０１７３４号公報
【発明の概要】
【発明が解決しようとする課題】
【０００４】
特許文献１に記載された測定機は、鉄心のクランプを有する。クランプは電線を流れる電流から発生する磁界を集める役割がある。従って、クランプは磁性体である必要がある。
【０００５】
さらに、一般に、磁性体は外力に対する変形が小さく、実用上剛体と看做される。従って、環状となるクランプの内部に電線を配置させるためには、クランプを開閉させる機構が必要となり、全体の構造が複雑になってしまう。
【０００６】
本発明は、上記従来の課題を解決し、クランプの材料や構造の制約が少ない測定子を提供する。
【課題を解決するための手段】
【０００７】
請求項１記載の発明は、被測定部材を流れる電流の高調波を測定するための測定子であって、第１端部と、第１端部と対向する側に位置する第２端部とを有するケースと、ケース内に収容され第１端部と第２端部とが対向する方向に軸を有するコイルと、第１端部を被測定部材へ接触させた状態を維持する第１状態と、第１端部を被測定部材と接触または離間させることができる第２状態とを有するクランプと、を備えた測定子である。請求項１記載の測定子は、クランプが磁気を集める必要がなく、クランプの材質や構造の制約が少ない。
【０００８】
請求項２記載の発明は、クランプは第１バンドおよび第２バンドを有し、第１状態は第１バンドと第２バンドが接着し、第２状態は第１バンドと第２バンドが互いに離間している。請求項２記載の発明はクランプが剛体ではないので、被測定部材への固定が簡単である。
【０００９】
請求項３記載の発明は、第１バンドは第１面ファスナーを有し、第２バンドは第２面ファスナーを有し、第１状態において第１面ファスナーおよび第２面ファスナーは互いに接着している。請求項３に記載の発明は、第１面ファスナーおよび第２面ファスナーを有するので、簡単な構成で第１状態および第２状態を切替えることができる。
【００１０】
請求項４記載の発明は、第１バンドおよび第２バンドは共に伸び縮みする。請求項４記載の発明は張力を利用して第１端部を被測定部材に確実に接触させる。
【発明の効果】
【００１１】
本発明の測定子はクランプの材料や構造の制約が少ない測定子を提供する。
【図面の簡単な説明】
【００１２】
【図１】本発明の一実施の形態における測定子の測定状態の斜視図
【図２】同測定子の測定状態の上面断面図
【図３】同測定子の測定状態の正面図
【図４】同測定子の第２状態の正面図
【図５】同測定子の第２状態の背面図
【図６】本発明の別の態様における測定子による測定状態の上面図
【発明を実施するための形態】
【００１３】
（一実施の形態）
図１は本発明の一実施の形態における測定子による測定状態の斜視図、図２は同測定子の測定状態の上面断面図、図３は同測定子の測定状態の正面図である。
【００１４】
測定子１０はケース１、コイル２、およびクランプ３を有する。測定子１０は被測定部材である電線２０に固定されている。電線２０は例えば発電機からの電流を通す。測定子１０は電線２０を流れる電流の高調波を測定するためのデバイスである。
【００１５】
ケース１は内部にコイル２を有する。コイル２は巻回された導体から作られる。ケース１の外形は円柱形状であるが、これに限られない。ケース１の２つの底面の内、一方の面を第１端部１ａ、他方の面を第２端部１ｂとする。なお、第１端部１ａと第２端部１ｂは平面に限られない。コイル２の巻回軸は、第１端部１ａと第２端部１ｂとが対向する方向を向いている。ケース１はさらに内部に円柱形状のコア４を有してもよい。コア４は磁性体から作られる。コイル２はコア４の周りに巻回している。
【００１６】
クランプ３はケース１を電線２０に固定する。クランプ３は第１バンド３ａおよび第２バンド３ｂを有する。
【００１７】
測定子１０はケーブル６と接続される。具体的には、コイル２の両端は導線５ａ、および導線５ｂに接続し、導線５ａ、および導線５ｂがケーブル６内に存在する導体（図示せず）と電気的に接続している。
【００１８】
電線２０は導体部２１、および絶縁部２２を有する。絶縁部２２は導体部２１の周囲を覆う。測定子１０が測定する被測定部材は図１〜図３に示す電線２０に限られない。被測定部材は導体が露出していてもよい。被測定部材は板状であってもよい。
【００１９】
図１〜図３における測定子１０は、クランプ３によって第１端部１ａを電線２０へ接触させた状態で維持している。このように、クランプ３が第１端部１ａを電線２０へ接触させた状態を維持している状態を第１状態と定義する。
【００２０】
図４は本発明の一実施の形態における測定子の第２状態の正面図、図５は同測定子の第２状態の背面図である。図４、および図５に記載の測定子１０は図１〜図３に記載の測定子１０と同じであるが、第１バンド３ａおよび第２バンド３ｂの状態が相違する。図４、および図５において、第１バンド３ａおよび第２バンド３ｂは互いに離れている。
【００２１】
第１バンド３ａは第１面ファスナー３ｃを、第２バンド３ｂは第２面ファスナー３ｄをそれぞれ有する。第１面ファスナー３ｃと第２面ファスナー３ｄは互いに接触させると、接着する。図１〜図３のクランプ３は第１面ファスナー３ｃと第２面ファスナー３ｄが互いに接着している。図４、図５においては、第１面ファスナー３ｃと第２面ファスナー３ｄを互いに離間させており、第１端部１ａを電線２０と接触させる、または離間させることが出来る状態である。第１面ファスナー３ｃと第２面ファスナー３ｄが互いに離間している状態を第２状態と定義する。クランプ３は第１状態と第２状態を取る。
【００２２】
図１〜図３において、測定子１０は電線２０を流れる電流の高調波を測定する。
【００２３】
電線２０を流れる電流は、電線２０の周りに電流に応じた強さの磁界を発生させる。磁界の変化はコイル２に誘導起電力を発生させる。コイル２は誘導起電力に応じた電流を流し、この電流はケーブル６を通って、測定装置（図示せず）に伝えられる。この測定装置は電流の高調波成分を測定する。
【００２４】
本実施の形態の測定子１０は、例えば、風力発電機の装置の劣化診断に用いられる。風力発電機は、プロペラの回転を増速する歯車や、各種の回転軸、および軸受けなどの構成要素を有している。これらの構成要素は例えば磨耗による劣化を生じ、振動を発生させる。この振動は発電機にも伝わり、発電機からの電流波形にこの振動成分が含まれる。従って、発電機からの電流波形の高調波成分を本実施の形態の測定子１０と測定装置を用いて測定することにより、構成要素からの振動を検出し、構成要素の劣化を診断する。
【００２５】
図６は、本発明の別の態様における測定子による測定状態の上面図である。図６に示す測定子は、第１端部１ａに溝部１ｃが形成されている点で図１〜図５に示す測定子と相違する。第１端部１ａが溝部１ｃを有すると、電線２０に固定しやすい。
【産業上の利用可能性】
【００２６】
本発明の測定子は、例えば、電流の高調波を測定する測定子に適用され、有用である。
【符号の説明】
【００２７】
１  ケース
１ａ  第１端部
１ｂ  第２端部
１ｃ  溝部
２  コイル
３  クランプ
３ａ  第１バンド
３ｂ  第２バンド
３ｃ  第１面ファスナー
３ｄ  第２面ファスナー
４  コア
５ａ  導線
５ｂ  導線
６  ケーブル
１０  測定子
２０  電線
２１  導体部
２２  絶縁部
【図１】
2017015470.tif 000003
【図２】
2017015470.tif 000004
【図３】
2017015470.tif 000005
【図４】
2017015470.tif 000006
【図５】
2017015470.tif 000007
【図６】
2017015470.tif 000008